(57)【特許請求の範囲】
【請求項１】
格子状に組まれた野縁材に取り付けた天井板の上部に吸音材を配設して、居室の上層側スラブとの間に防音ラインを形成し、
前記天井板の下部には、吸音板からなる天井仕上板材を一定方向の傾斜で配設するとともに、この天井仕上板材を断面形状が略鋸歯状となるように連続させて前記天井板との間に吸音層を形成し、
この天井仕上板材に居室を照射するための照明ユニットが配設されていることを特徴とする居室の天井構造。
【請求項２】
前記照明ユニットは略鋸歯状に連続させた複数の天井仕上板材の連続部分に配設されていることを特徴とする請求項１に記載の居室の天井構造。
【請求項３】
前記照明ユニットは溝型状のボックスに照明器具が内装された構成であることを特徴とする請求項１または請求項２に記載の居室の天井構造。
【請求項４】
前記天井仕上板材の傾斜面は天井板に対して５°以上の角度で配置されていることを特徴とする請求項１〜請求項３のいずれかに記載の居室の天井構造。
【請求項５】
前記吸音材は天井板の上部において２層にわたって配設されていることを特徴とする請求項１〜請求項４のいずれかに記載の居室の天井構造。
【請求項６】
前記天井板の上部において隣接する野縁材間に補強板材が配設されていることを特徴とする請求項１〜請求項５のいずれかに記載の居室の天井構造。
【発明の詳細な説明】
【技術分野】
【０００１】
本発明は、高い音響効果を備えた居室の天井構造に関する。
【背景技術】
【０００２】
床面と天井面のように、対向する面が平行かつ反射性を有する居室では、この平行面間で音が多重に反射し、フラッターエコーを起こすことが知られている。このため、居室形状が矩形の場合や、天井面がフラットな場合には、対向面間でのフラッターエコーを生じてしまい、音響環境に悪影響を及ぼす。そこで、このようなフラッターエコーの発生を防止するために、居室の壁面を折壁形状としたり、床面と平行にならないように天井面を傾斜させたりする手法が一般的にとられている。
【０００３】
また、音を効果的に反響させるための反射板を天井面から吊り下げて、音楽演奏等の音響効果を上げる工夫もなされている。例えば、特許文献１には、平面的に多数の空隙を有するハニカムコアパネルの表面に音響反射板を接着して天井から吊り下げるように構成された天井音響反射板装置について記載されている。特許文献２には、吊りフレームに回動可能に軸支された天井反射板を天井から垂下させて音響効果を高める天井反射板装置について記載されている。
【０００４】
特許文献３には、室内の天井と壁とが交わるコーナー部に、音響効果を有する音響調整パネルを取り付ける手法が提案されている。音響調整パネルは表裏両面で音響効果が異なり、表裏を使い分けることで室内の音調を変えることができるように意図されている。
【特許文献１】特開２００１−２５２４８３号公報
【特許文献２】特開平９−２６８６７３号公報
【特許文献３】特開平６−１４９２６５号公報
【発明の開示】
【発明が解決しようとする課題】
【０００５】
近年では、オーディオルームやリスニングルーム、ホームシアター、あるいは楽器の練習室といった音響環境を重視した居室への要求が高まってきており、個人住宅等の建物においても、適切な防音施工を行って音響効果をあげるための音響設計が求められるようになっている現状がある。
【０００６】
このような要求に対し、特に住宅において音響設備を整えた居室を設ける場合には、居室の外へ音が漏れたり、振動を生じたりしないようにする必要があり、また、外部からの騒音を遮断し静かな環境を確保できるように、高い遮音性が求められる。加えて、居室内においては、音が残響したり、反射音を生じたりしないように適切な音響設計をすることが求められる。
【０００７】
したがって、前記特許文献にあるような装置を天井に設置する手法は、簡易ではあるが個人住宅の規模ではなじまないものであり、その意匠性にも欠ける。また、音響設計を十分に行った居室であっても、照明計画を同時に進めておく必要があり、天井面に直接、ダウンライトを取り付けるような照明計画では、意匠性を欠くだけでなく天井面の気密性を損ない、音響効果を低下させる原因となる。
【０００８】
このため、住宅等の音響空間においては、天井構造そのものに音の拡散および吸音を考慮した一定の音響効果を持たせ、これと同時に、天井に設ける照明器具にも配慮をすることで、意匠性にも優れた居室を計画することが好ましいと言える。
【０００９】
そこで本発明は、前記のような問題点にかんがみてなされたものであり、音響環境を重視した居室において、音響設計を容易にするだけでなく、その意匠的側面からも配慮して、照明の演出効果をもたせ、天井の気密性を損なうことなく照明器具を配置し、高い音響効果を有する居室の天井構造を提供するものである。
【課題を解決するための手段】
【００１０】
前記した目的を達成するため、本発明に係る居室の天井構造は、格子状に組まれた野縁材に取り付けた天井板の上部に吸音材を配設して、当該居室の上層側スラブとの間に防音ラインを形成し、前記天井板の下部には、吸音板からなる天井仕上板材を一定方向の傾斜で配設するとともに、この天井仕上板材を断面形状が略鋸歯状となるように連続させて前記天井板との間に吸音層を形成し、この天井仕上板材に居室を照射するための照明ユニットが配設されていることを特徴とする。
【００１１】
この構成によれば、居室の天井部における遮音性は天井板の上部に配設された吸音材により確保されて居室の外部から遮断し、音楽等を楽しむことができる。また、天井仕上板材を断面略鋸歯状とすることで、フラッターエコーなどの有害な音響現象が生じるのを防止することができる。また、天井板と、天井仕上板材との間に形成される空間が吸音層として機能するので、居室における遮音性能を一層高め、高い音響効果を実現することができる。
【００１２】
本発明の居室の天井構造において、照明ユニットについては、略鋸歯状に連続させた複数の天井仕上板材の連続部分に配設されていることが好ましい。また、本発明において、前記照明ユニットとしては、溝型状のボックスに照明器具が内装された構成のものを利用することができる。
【００１３】
このような照明ユニットを天井仕上板材の連続部分に配置することで、この連続部分を柔らかく照らし出すことができ、間接照明として使用することができ、良好な演出効果をもたらして居室の意匠性も高めることができる。
【００１４】
さらに、本発明の居室の天井構造において、天井仕上板材の傾斜面は天井板に対して５°以上の角度で配置されていることが好ましく、最も効果的に音響計画をすることができる。
【００１５】
また、本発明の居室の天井構造において、吸音材を天井板の上部において２層にわたって配設する構成とすることにより、さらに遮音性を高めることができ、高い音響効果を実現することができる。
【００１６】
また、本発明の居室の天井構造において、天井強度を高めるために、天井板の上部において隣接する野縁材間に補強板材が配設された構成としてもよい。
【発明の効果】
【００１７】
上述のように構成される本発明の居室の天井構造によれば、音響環境を重視した居室における音響設計を容易にするだけでなく、天井の気密性を損なうことなく照明器具を配置して防音施工を可能にし、照明による演出効果をもたせて居室の意匠性を高めた、良好な音響効果を実現することができる。
【発明を実施するための最良の形態】
【００１８】
以下、本発明に係る居室の天井構造を実施するための最良の形態について、図面を参照しつつ説明する。
【００１９】
図１は本発明の居室の天井構造の一例を示す断面図である。
【００２０】
本発明に係る天井構造は、住宅等において例えばオーディオルーム、シアタールーム、リスニングルームなどといった、音響設備を備えて音楽を楽しむために設けられる居室１に好適に実施される。
【００２１】
図１に示すように、居室１の天井部１１は、この居室１の上層側スラブとの間に防音ラインを形成し、この防音ラインの下部に吸音作用を備えた構成とされている。
【００２２】
天井部１１の防音ラインは、格子状に組まれた野縁材２１に天井板２が取り付けられ、この天井板２の上部に吸音材２２を配設して形成されている。野縁材２１には、例えば断面略方形に折曲された鋼製野縁や、リップ溝型鋼などの鋼製野縁等を用いることができ、複数本の野縁材２１が適宜の間隔で配設されている。例示の形態では、野縁材２１は３００〜３５０ｍｍ程度の間隔で配置され、天井板２の固有振動を吸収して防音性能を高めている。天井板２は、厚さ９．５ｍｍの石膏ボードを２枚積層して構成されている。
【００２３】
この天井板２の上部に配設される吸音材２２は、例えばグラスウール、ロックウール等の軽量の繊維板からなる吸音材料が好ましく、天井板２の上面と、各野縁材２１の上部とを被覆するように敷設されている。さらに、この実施形態においては、吸音材２２をもう一層、天井板２の上部の野縁受け２３に積層させており、２層にわたって吸音材層が形成されている
また、天井板２の上部において、隣接する野縁材２１，２１間には部分的に、厚さ１２ｍｍの合板からなる補強板材２４が配設されており、天井強度を高めるように構成されている。
【００２４】
一方、天井板２の下部には、適宜の吸音板材からなる天井仕上板材３が木下地材３１および野縁材３２等を介して取り付けられている。図示するように、天井仕上板材３は、一定方向に傾斜させて傾斜面３ａを形成し、これを複数枚連続させることで断面形状が略鋸歯状となるように配設されている。
【００２５】
かかる天井仕上板材３は、音響計画上、傾斜面３ａが天井板２に対して５°以上の角度を確保して配置されることが好ましい。図１においては、天井仕上板材３を天井板２に対して９°の傾斜角度で配置した例を示している。
【００２６】
天井仕上板材３には、鋼製野縁とランナーを組み合わせて天井フレームを形成し、これにロックウール吸音板等の吸音板材を取り付けて、パネル化したものを用いることもできる。また、このように構成した天井仕上板材３を一定の傾斜角度で天井板２に取り付けるには、木下地材３１に対して所定角度の取り付け面を形成しうるスペーサ３３を添設することが好ましい。
【００２７】
天井仕上板材３は、かかる略鋸歯状に配設することで、天井板２との間に断面略三角形状の空間部４を形成する。この空間部４は、居室１内に発せられる音の吸音層として機能させることができ、天井仕上板材３そのものの吸音性に加えて、外部との遮音効果をより一層高めている。
【００２８】
このように構成される天井仕上板材３の適所には、居室１を照射するための照明ユニット５が嵌め込み設置されている。照明ユニット５は、溝型状のボックス５１に照明器具５２が内装された構成である。
【００２９】
この照明ユニット５は、天井仕上板材３の傾斜面３ａに配設して居室１を上方から照らし出すようにしてもよいが、より好ましくは略鋸歯状に連続した複数枚の天井仕上板材３の連続部分（天井仕上板材の傾斜方向の下端部寄り）に納められることである。
【００３０】
このように照明ユニット５を天井仕上板材３の連続部分に納める場合には、図示するように、照明ユニット５のボックス５１の底面側に、天井仕上板材３の傾斜角度に合わせた勾配をもたせて形成していることが望ましい。これにより、天井仕上板材３の連続部分に照明ユニット５を納めて配置すると、天井仕上板材３の傾斜なりに照明ユニット５のボックス５１が連続して構成され、すっきりとした外観を形成することができる。
【００３１】
また、図示したように照明ユニット５を配置することにより、居室１で過ごす人からは照明器具５２が直接視認されにくくなり、略鋸歯状に連続した天井仕上板材３の傾斜面３ａを柔らかく照らし出して、間接照明の効果をもたらすことができる。
【００３２】
したがって、天井部１１に直接、ダウンライトを設置するような場合と異なり、かかる照明ユニット５の配置が、居室１における照明の機能的側面だけでなく、オーディオルームやリスニングルームなどに求められる意匠的側面や心理的側面からの要求にも対応した照明配置とすることが可能になる。
【００３３】
また、直接ダウンライトなどを設置する場合には天井部１１にダウンライト取り付けのための穴を開けることが避けられず、気密工事を確実に行わなければならないという問題点があるが、かかる照明ユニット５による照明計画では、天井仕上板材３に不用意に穴を開けたり気密工事を行ったりする必要がなくなり、音響効果を高いレベルで維持することが可能になる。
【産業上の利用可能性】
【００３４】
本発明は、音響効果を必要とするオーディオルームやリスニングルーム、楽器の練習室等の居室において、音響効果を高めるとともに、居室のインテリア性も高めて、音楽を存分に楽しめる空間形成に好適に利用することができる。
【図面の簡単な説明】
【００３５】
【図１】本発明に係る居室の天井構造を示す断面図である。
【符号の説明】
【００３６】
１    居室
１１  天井部
２    天井板
２１  野縁材
２２  吸音材
２３  野縁受け
２４  補強板材
３    天井仕上板材
３１  木下地材
３２  野縁材
３３  スペーサ
４    空間部（吸音層）
５    照明ユニット
５１  ボックス
５２  照明器具
【図１】
0004730161.tif 000002